(57)【要約】【課題】ハイドロフルオロオレフィンは分解し易いため、ポンプダウン運転時の摺動部の温度上昇により分解する可能性がある。【解決手段】室外機１００には、圧縮機１、室外熱交換器２、室外送風機３、膨張弁４、二方弁５、三方弁８が、室内機１０１には、室内熱交換器６、室内送風機７を備えている。作動冷媒としては、ＨＦＯ−１２３４ｙｆを使用している。ポンプダウン直前の液側接続配管２１内に存在する冷媒のガス比率をあげてポンプダウンに移行することでポンプダウン運転の時間を短縮し、圧縮機１の摺動部の温度上昇を抑え、冷媒の分解を防いで信頼性の向上を図る。【選択図】図１
2012007774.tif 000002
【特許請求の範囲】
【請求項１】
作動冷媒を圧縮する圧縮手段、室外熱交換器、膨張弁、室外送風機、液側閉鎖弁、ガス側閉鎖弁を有する室外機と、室内熱交換器、室内送風機を有する室内機とを、接続配管にて接続して、前記作動冷媒としてハイドロフルオロオレフィンを含む冷媒を用いた、冷凍サイクルあるいはヒートポンプサイクルを構成する空気調和機であって、前記室内熱交換器および前記接続配管内の前記作動冷媒のガス比率を上昇させた後、前記液側閉鎖弁を閉じ冷房運転を所定時間行った後、前記ガス側閉鎖弁を閉じて前記室外機に前記作動冷媒を回収するポンプダウン運転を行うことを特徴とする空気調和機。
【請求項２】
前記ポンプダウン運転を行う前に所定の時間冷房運転を行い、引き続いて冷房運転時よりも前記膨張弁の開度を開いて所定の時間運転した後、前記ポンプダウン運転を行うことを特徴とする請求項１に記載の空気調和機。
【請求項３】
前記ポンプダウン運転を行う前に所定の時間冷房運転を行い、引き続いて冷房運転時よりも前記室外送風機の送風量を減じて所定の時間運転した後、前記ポンプダウン運転を行うことを特徴とする請求項１に記載の空気調和機。
【請求項４】
前記ポンプダウン運転時に、前記液側閉鎖弁を閉じた後、前記室外送風機の送風量を増加させることを特徴とする請求項３に記載の空気調和機。
【請求項５】
前記圧縮手段の吐出口から前記室外熱交換器と前記液側閉鎖弁との間の配管までを接続するバイパス回路と、前記バイパス回路に設けられたバイパス開閉弁とを備え、前記ポンプダウン運転を行う前に前記バイパス開閉弁を開いた運転を行うことを特徴とする請求項１に記載の空気調和機。
【請求項６】
１つの工程が終了したことを表示する出力手段と、作業者が１つの工程を完了したことを入力する入力手段とを備えたことを特徴とする請求項１〜５のいずれか１項に記載の空気調和機。
【発明の詳細な説明】
【技術分野】
【０００１】
本発明は、作動冷媒を用いて冷凍、ヒートポンプサイクルを構成して冷暖房をおこなう空気調和機に関するもので、特に室内機と室外機を接続配管で繋いでサイクルを構成する装置において、炭素間に二重結合を有する作動冷媒を使用するに当たり、作動冷媒を室外機に回収するポンプダウン作業時に、圧縮機の温度上昇を抑えて冷媒の分解を防ぐため、ポンプダウンを速やかに行うことのできる技術を提供するものである。
【背景技術】
【０００２】
分離型の空気調和機は、通常、室外機に冷媒が予め封入されており、室内機と室外機を液側、ガス側の接続配管で繋いだ後、作動冷媒を接続配管および室内機に開放して設置を行うものである。そして、一旦設置した装置を移設したりするために、室内機、室外機、接続配管を取り外す場合には、冷媒を室外機に回収するポンプダウン作業を行う。
【０００３】
従来ポンプダウン作業は、室外機に設けられた液側の開閉弁を閉じて冷房運転を行い、所定の時間が経過したところで、室外機に設けられたガス側の開閉弁を閉じ、運転を停止して行う（特許文献１参照）。
【０００４】
このとき、室内機側の作動冷媒はガス側接続配管から圧縮機へ吸引され、最終的に液側接続配管内の作動冷媒が圧縮機へ吸引されてポンプダウンは終了する。
【０００５】
液側の開閉弁を閉じてから運転停止までのポンプダウン時間が短いと、室内機側に作動冷媒が残留し接続配管をはずした際に大気放出されてしまう。逆にポンプダウン時間を長くしすぎると、作動冷媒が流れてこない状態で圧縮機を運転することになり圧縮機内部、特に摺動部の温度が上昇する。
【０００６】
一方、近年は地球温暖化が大きな問題となり、温暖化係数の低い作動冷媒を使用しようという動きが顕著になってきており、自然冷媒や、炭素と炭素間に２重結合を有するハイドロフルオロオレフィンなどの冷媒が注目されている。
【０００７】
ハイドロフルオロオレフィンは、Ｒ１３４ａの代替冷媒として特に注目されており、自動車用エアコンディショナーへの実用化の検討が推進されている。その温暖化係数（１００年）はＨＦＯ１２３４ｙｆの場合は４と、Ｒ１３４ａの１３００、エアコンなどで使用されているＲ４１０Ａの１７３０に比べてきわめて小さい。この温暖化係数が小さいという特性は、炭素間に２重結合を有し分解し易いことに起因している。
【先行技術文献】
【特許文献】
【０００８】
【特許文献１】特開平５−１５７３８２号公報
【発明の概要】
【発明が解決しようとする課題】
【０００９】
上記従来の空気調和機のポンプダウン運転を、ハイドロフルオロオレフィンを使用する空気調和機に適応すると、圧縮機内部の温度上昇で作動冷媒が分解する可能性がある。
【００１０】
従来の空気調和機では、作動冷媒は分解しにくいものであったため、圧縮機において最も耐熱温度の低い材料はモーターの絶縁皮膜であり、その耐熱温度は１２０℃程度が一般的であった。最も温度が上昇すると考えられるメカ摺動面においては、２００℃程度の温度になっても問題は生じなかった。
【００１１】
ところが、ハイドロフルオロオレフィンは分解し易いため、ポンプダウン運転時の摺動部の温度上昇により分解する可能性がある。
【００１２】
作動流体である冷媒が分解すること自体望ましいことではないし、分解時の生成物が金属表面や有機材料に悪影響を及ぼす可能性もある。
【００１３】
従って本発明は、こうした課題を解決し、圧縮機内部の温度上昇を抑え確実なポンプダウンを行うことで、信頼性の高い空気調和機を提供するものである。
【課題を解決するための手段】
【００１４】
上記従来の課題を解決するために、本発明の空気調和機は、作動冷媒としてハイドロフルオロオレフィンを含む冷媒を用いた空気調和機において、室内熱交換器および接続配管内の作動冷媒のガス比率を上昇させた後、液側閉鎖弁を閉じ、ポンプダウン運転を行うものである。
【００１５】
これにより、室内熱交換器および接続配管内に存在する液冷媒の蒸発に要する時間が短縮され、速やかにポンプダウンを終了し、圧縮機内部の温度上昇を抑制することができる。
【００１６】
また、本発明の空気調和機は、圧縮手段の吐出口から室外熱交換器と液側閉鎖弁との間の配管までを接続するバイパス回路と、バイパス回路に設けられたバイパス開閉弁とを備え、ポンプダウン運転を行う前にバイパス開閉弁を開いた運転を行うものである。
【００１７】
これにより、簡単な制御で、速やかにポンプダウンを終了し、圧縮機内部の温度上昇を低減することができる。
【００１８】
また、本発明の空気調和機は、１つの工程が終了したことを表示する出力手段と、作業者が１つの工程を完了したことを入力する入力手段とを備えるものである。
【００１９】
これにより、１つ１つ作業を確実に遂行することができる。
【発明の効果】
【００２０】
本発明の空気調和機は、ポンプダウン時の温度上昇による冷媒分解を回避し信頼性の高い装置を提供することができる。
【図面の簡単な説明】
【００２１】
【図１】本発明の実施の形態１における空気調和機の構成図
【図２】本発明の実施の形態２における空気調和機の構成図
【発明を実施するための形態】
【００２２】
第１の発明は、作動冷媒を圧縮する圧縮手段、室外熱交換器、膨張弁、室外送風機、液側閉鎖弁、ガス側閉鎖弁を有する室外機と、室内熱交換器、室内送風機を有する室内機とを、接続配管にて接続して、作動冷媒としてハイドロフルオロオレフィンを含む作動冷媒を用いた、冷凍サイクルあるいはヒートポンプサイクルを構成する空気調和機であって、室内熱交換器および接続配管内の作動冷媒のガス比率を上昇させた後、液側閉鎖弁を閉じ冷房運転を所定時間行った後、ガス側閉鎖弁を閉じて室外機に作動冷媒を回収するポンプダウン運転を行うものである。
【００２３】
これにより、液冷媒の蒸発に要する時間が短縮され速やかにポンプダウンを終了し、圧縮機内部の温度上昇を抑制することができる。
【００２４】
従って、作動冷媒に含まれるハイドロフルオロオレフィンの分解を防ぎ、信頼性の高い装置を提供することができる。
【００２５】
第２の発明は、第１の発明において、ポンプダウン運転を行う前に所定の時間冷房運転を行い、引き続いて冷房運転時よりも膨張弁の開度を開いて所定の時間運転した後、前記ポンプダウン運転を行うものである。
【００２６】
これにより、室外熱交換器出口の作動冷媒温度が上昇し作動冷媒の過冷却が取れなくなり、比エンタルピーは増加するので、膨張弁の下流つまり液側接続配管、室内熱交換器、ガス側接続配管内の作動冷媒のガス比率が増加する。
【００２７】
第３の発明は、第１の発明において、ポンプダウン運転を行う前に所定の時間冷房運転を行い、引き続いて冷房運転時よりも室外送風機の送風量を減じて所定の時間運転した後、ポンプダウン運転を行うものである。
【００２８】
これにより、室外熱交換器における放熱量が減少し、室外熱交換器出口の作動冷媒温度が上昇し、膨張弁の下流つまり液側接続配管、室内熱交換器、ガス側接続配管内の作動冷媒のガス比率が増加する。
【００２９】
従って、液冷媒の蒸発に要する時間が短縮され速やかにポンプダウンを終了し、圧縮機内部の温度上昇を抑制することができる。
【００３０】
第４の発明は、第３の発明において、ポンプダウン運転時に、液側閉鎖弁を閉じた後、室外送風機の送風量を増加させるものである。
【００３１】
これにより、ポンプダウン運転において、回収されてきた作動冷媒を室外熱交換器に凝縮し、蓄積するのを助長し、室内熱交換器に滞留している作動冷媒の蒸発を促進することができる。
【００３２】
従って、液冷媒の蒸発に要する時間が短縮されポンプダウンを終了し、圧縮機内部の温度上昇を抑制することができる。
【００３３】
第５の発明は、第１の発明において、圧縮手段の吐出口から室外熱交換器と液側閉鎖弁との間の配管までを接続するバイパス回路と、バイパス回路に設けられたバイパス開閉弁とを備え、ポンプダウン運転を行う前にバイパス開閉弁を開いた運転を行うものである。
【００３４】
これにより、圧縮機から高温のガス冷媒が、液側接続配管および室内熱交換器に送られてくるので、液側接続配管、室内熱交換器、ガス側接続配管内に存在する作動冷媒のガス比率を上昇させることができる。
【００３５】
従って、バイパス開閉弁の開閉という簡単な制御で、速やかにポンプダウンを終了し、圧縮機内部の温度上昇を抑制することができる。
【００３６】
第６の発明は、第１〜５のいずれかの発明において、１つの工程が終了したことを表示する出力手段と、作業者が１つの工程を完了したことを入力する入力手段とを備えるものである。
【００３７】
これにより、作業者は、１つの工程が終了したことを知ることができ、１つ１つ作業を確認しながら確実に遂行することができる。従って、ポンプダウン作業のミスを減らすことができる。
【００３８】
以下、本発明の実施の形態について、図面を参照しながら説明する。なお、この実施の形態によって本発明が限定されるものではない。
【００３９】
（実施の形態１）
図１は、本発明の第１の実施の形態における空気調和機の構成図を示すものである。
【００４０】
図１に示すように、第１の実施の形態における空気調和機は、室外機１００と室内機１０１を、接続配管である、液側接続配管２１およびガス側接続配管２２で接続して装置を構成している。
【００４１】
室外機１００には、圧縮手段である圧縮機１、室外熱交換器２、室外送風機３、作動冷媒を減圧膨張させる膨張弁４、液側閉鎖弁である二方弁５、ガス側閉鎖弁である三方弁８が備えられている。また、室内機１０１には、室内熱交換器６、室内送風機７を備えている。そして、圧縮機１、室外熱交換器２、膨張弁４、二方弁５、液側接続配管２１、室内熱交換器６、ガス側接続配管２２、三方弁８は、配管で接続され、作動冷媒が流れる冷媒回路を構成している。作動冷媒としては炭素間に二重結合を有し温暖化係数の小さな、ハイドロフルオロオレフィンであるＨＦＯ−１２３４ｙｆを使用している。
【００４２】
また、この空気調和機には、ポンプダウンの１つの工程が終了したことを表示する出力手段である作業指示ランプ９と、作業者が１つの工程を完了したことを入力する入力手段である作業完了ボタン１０を備えている。作業指示ランプ９と作業完了ボタン１０は、例えば、空気調和機の制御装置を構成する室外機制御基板や、制御装置と通信を行うリモコンに設けられている。
【００４３】
以上のように構成された空気調和機の通常の運転動作について説明する。室内機１０１から室外機１００に戻ってきた作動冷媒は、三方弁８を経て圧縮機１に吸い込まれて圧縮され、高温高圧の冷媒となって室外熱交換器２に送られ、室外送風機３によって送られてくる空気で冷却され凝縮し、膨張弁４で減圧され、二方弁５を経て室内機１０１へ送られ、室内熱交換器６で室内送風機７により送られてきた空気から熱を奪い蒸発して、再び、室外機１００へ戻る。室内熱交換器６で室内送風機７により送られてきた空気から熱を奪うことで、室内機１０１が設置された空間の空気の冷却、つまり冷房が行われる。
【００４４】
次に、このような空気調和機の設置時、移設時について説明する。
【００４５】
図１に示されるような分離型空気調和機の場合、設置前は室外機１００に冷媒が封入されている。設置時には、液側接続配管２１およびガス側接続配管２２で室内機１０１と室外機１００とを接続する。その後、二方弁５を閉じたまま、三方弁８のサービスポートと真空ポンプとをホースで接続する。そして、真空ポンプを運転して室内機１０１側の配管（二方弁５から三方弁８までの配管であって、室内熱交換器６を含む）内の空気を三方弁８のサービスポートから真空引きする。その後、二方弁５、三方弁８を開けて冷媒を配管内に開放して設置を完了する。
【００４６】
また、設置した空気調和機を移動させる場合には、作動冷媒を室外機１００に再び回収し液側接続配管２１およびガス側接続配管２２をはずして移動させる。このような、作動冷媒を再び室外機１００に回収する作業をポンプダウンという。
【００４７】
ポンプダウンは、従来であれば予備運転として所定の時間、冷房運転を行った後、二方弁５を閉切り、３分程度冷房運転を続け、三方弁８を閉切り運転を停止する。このとき、ゲージマニホールドなどの圧力測定手段を三方弁８のサービスポートに接続してポンプダウンを行う場合は、圧力測定手段の表示が負圧になるまで、二方弁５を閉切った状態での冷房運転を行う。
【００４８】
このとき、ポンプダウンが十分でなければ、接続配管および室内機１０１側の配管に作動冷媒が残留する。その結果、そのまま、接続配管をはずすと、作動冷媒を大気放出することになる。温暖化係数が小さいとはいえ、フッ素化合物が大気放出されるのは望ましいとは言えず、装置内の作動冷媒が減るという観点からも作動冷媒はできる限り回収するのが望ましい。しかし、二方弁５を閉切った運転、すなわち、ポンプダウン運転を長時間続けると、作動冷媒が循環しない状態での運転が続くため、圧縮機１の摺動部の冷却が妨げられ、圧縮機１の摺動部の温度が上昇する。
【００４９】
ここで、本実施の形態の空気調和機では、作動冷媒としてＨＦＯ−１２３４ｙｆを使用しているが、この冷媒は、炭素間に二重結合を有しているがゆえに分解し易く、酸素が存在する雰囲気中であれば温度が上昇すれば容易に分解し、酸を生じたりさまざまな有機物を生じたりし、圧縮機１の摺動部や配管などの金属部品、圧縮機１のモーター巻線や各弁部における有機材料にダメージを与える可能性がある。
【００５０】
さらに、酸素が存在しない場合においても、高温部では冷媒が分解する。圧縮機１において最も耐熱温度の低い材料はモーターの絶縁皮膜であり、その耐熱温度は１２０℃程度が一般的である。最も温度が上昇すると考えられるメカ摺動面においては、２００℃程度の温度になる。従来は冷媒が分解しにくいものであったため問題は発生しなかったが、冷媒としてＨＦＯ−１２３４ｙｆを使用する装置では、分解し易いため、ポンプダウン運転時の摺動部の温度上昇により、作動冷媒が分解する可能性がある。
【００５１】
そこで、本発明の実施の形態１の空気調和機は、以下のようにしてポンプダウン運転の時間を短縮し、圧縮機１の摺動部の温度上昇を抑え、作動冷媒の分解を防いで信頼性の向上を図るものである。
【００５２】
まず、基本的な考え方は、ポンプダウン運転前に、液側接続配管２１、室内熱交換器６、ガス側接続配管２２内に存在する作動冷媒のガス比率（ガス冷媒の、液冷媒とガス冷媒の総和に対する重量または体積比率）を少しでもあげてポンプダウン運転に移行することである。特に、液側接続配管２１内に存在する作動冷媒のガス比率を上げることが望ましい。
【００５３】
この理由を以下に説明する。液側接続配管２１は断熱材で覆われているため、液側接続配管２１の内部の液冷媒は、吸熱による蒸発が行われにくい。このため、液側接続配管２１の内部に存在する作動冷媒は低圧側で最も乾き度が低い状態にある。なお、これに対し、室内熱交換器６では液冷媒があっても空気と熱交換して速やかに蒸発する。また、ガス側接続配管２２も断熱材で覆われているので、作動冷媒の速やかな蒸発は望めないが、室内熱交換器６で蒸発した作動冷媒と共に圧縮機１に運ばれていくので、速やかに圧縮機１に回収される。
【００５４】
液冷媒は、ポンプダウン運転を行う際に滞留し易く、液溜りが生じるとその部分の冷媒は蒸発してから圧縮機１に回収されるので周囲から熱を吸収する必要がある。一部の液冷媒が周囲から蒸発熱をもらって蒸発すると、周囲の温度はその分下がっていく。蒸発、温度低下を繰り返していくうち液冷媒の周囲の温度は下がり、ますます、液冷媒は蒸発しにくくなって冷媒回収に時間がかかるようになる。
【００５５】
一方、液冷媒の量が少ないと周囲の温度は比較的高い温度に保たれ、液冷媒は蒸発し易い状態が保たれる。その結果、作動冷媒の回収が速やかに行われ、圧縮機１の摺動部の温度上昇を抑え、冷媒の分解を防いで信頼性の向上が図れる。
【００５６】
液側接続配管２１、室内熱交換器６、ガス側接続配管２２のガス比率を上げる具体的な方法は次の通りである。
【００５７】
まず１つめの方法は、ポンプダウン運転を行う前に所定の時間冷房運転を行い、引き続いて冷房運転時よりも膨張弁４の開度を開いて所定の時間運転した後、ポンプダウン運転を行うことである。
【００５８】
膨張弁４の開度を開くと、室外熱交換器２出口において高圧となっている作動冷媒の圧力は若干下がり、室外熱交換器２出口の作動冷媒の温度は上昇する。このため、室外熱交換器２出口の作動冷媒の比エンタルピーは増加して過冷却が取れなくなり、膨張弁４の出口の乾き度は上昇する。この結果、液側接続配管２１、室内熱交換器６、ガス側接続配管２２のガス比率が上昇する。
【００５９】
第２の方法としては、室外送風機３の送風量を減少させる方法がある。室外送風機３の送風量を減少させると、室外熱交換器２における放熱量が減少して室外熱交換器２出口の冷媒圧力、温度共に上昇し、比エンタルピーは増加する。このため、膨張弁４の出口の乾き度は上昇し、液側接続配管２１、室内熱交換器６、ガス側接続配管２２のガス比率が上昇する。
【００６０】
第２の方法を実施する場合、ポンプダウン運転に入ったら、室外送風機３の送風量を増加させるのが望ましい。これにより、室外熱交換器２における放熱量を増加させ、回収してきた冷媒を凝縮し蓄積し易くし安全かつ速やかにポンプダウンを行うことができる。
【００６１】
以上に述べた液側接続配管２１のガス比率を上げる具体的な方法は、それぞれで効果を奏し、合わせて用いても効果を奏するもので、従来の構成のままで制御を変えることにより実施できるものである。つまり、本実施の形態の空気調和機は、ポンプダウン時の温度上昇による作動冷媒の分解の回避を、簡単な制御で実現することができる。
【００６２】
次に、作業指示ランプ９、作業完了ボタン１０の動作および使用方法について説明する。
【００６３】
ポンプダウンを実施する際に、まず作業者が作業完了ボタン１０を押し作業の開始を入力する。すると、制御装置（図示せず）は、空気調和機の冷房運転を開始する。そして、液側接続配管２１、室内熱交換器６、ガス側接続配管２２のガス比率を上げる具体的な方法を行う工程を実施し、その工程が完了すると作業指示ランプ９の１回点滅を繰り返す。これを確認した作業者はポンプダウン運転の開始のため、二方弁５を閉切り、再び作業完了ボタン１０を押す。すると、制御装置はポンプダウン運転を開始し、所定の時間が過ぎると空気調和機は作業指示ランプ９の２回点滅を繰り返し、ポンプダウン運転の工程の終了を告げる。これを確認した作業者は、三方弁８を閉切り、作業完了ボタン１０を押すと空気調和機は運転を停止する。これでポンプダウンは終了である。
【００６４】
つまり、本実施の形態の空気調和機は、作業指示ランプ９、作業完了ボタン１０により、１つ１つの工程を確実に遂行でき、作業ミスを減らすことができる。
【００６５】
なお、本実施の形態では、二方弁５や三方弁８の操作は、作業者が行い、それらの操作の完了は作業完了ボタン１０を押すことで入力するものとしたが、二方弁５や三方弁８の操作も制御装置が自動的に行うことで、作業完了ボタン１０を廃止することも可能である。この際には、さらに作業ミスを減らすことができることはいうまでもない。
【００６６】
（実施の形態２）
図２は、本発明の第２の実施の形態における空気調和機の構成図を示すものである。
【００６７】
図２に示すように、図１の空気調和機に、圧縮機１の吐出から膨張弁４と二方弁５との間の配管へ繋がるバイパス回路１１を備え、バイパス回路１１にはバイパス開閉弁１２が追加して設けられている。
【００６８】
本実施の形態のポンプダウンの手順を説明する。
【００６９】
まず、予備運転として通常の冷房運転を所定の時間行う。当然このとき、バイパス開閉弁１２は閉じられている。所定の時間冷房運転を行った後、引き続きバイパス開閉弁１２を開いて運転する。圧縮機１から吐出される高温高圧の作動冷媒は、その一部は室外熱交換器２で放熱して凝縮し、その他は、バイパス回路１１を流れた後、合流部で室外熱交換器２から流れてくる冷媒と合流して二方弁５を通り、液側接続配管２１から室内機１０１へ流れていく。
【００７０】
これによれば、圧縮機１から吐出されてすぐの高温高圧の冷媒がバイパス回路１１を流れてくるので、液側接続配管２１には、通常の冷房運転時に比べて乾き度の高い冷媒が流れる。したがって、吸熱による蒸発が行われにくく、低圧側で最も乾き度が低い状態にある液側接続配管２１の作動冷媒を、速やかな蒸発させ、圧縮機１に回収できる。
【００７１】
その後、二方弁５を閉じて所定の時間運転を続け、三方弁８を閉じてポンプダウン運転を終了する。図２の空気調和機は構成要素が増えているが、ポンプダウン時の制御は極めて簡単になっており、誤動作や作業ミスを招きにくい。
【００７２】
次に、作業指示ランプ９、作業完了ボタン１０の動作および使用方法について説明する。
【００７３】
ポンプダウンを実施する際に、まず作業者が作業完了ボタン１０を押し作業の開始を入力する。すると、制御装置は、通常の冷房運転を開始する。そして、所定時間経過すると、作業指示ランプ９の１回点滅を繰り返す。これを確認した作業者は、バイパス開閉弁１２を開き、再度、作業完了ボタン１０を押す。さらに、所定時間経過すると、作業指示ランプ９の２回点滅を繰り返す。これを確認した作業者はポンプダウン運転の開始のため、二方弁５を閉切り、再び作業完了ボタン１０を押す。すると、制御装置はポンプダウン運転を開始し、所定の時間が過ぎると空気調和機は作業指示ランプ９の３回点滅を繰り返し、ポンプダウン運転の工程の終了を告げる。これを確認した作業者は、三方弁８を閉切り、作業完了ボタン１０を押すと空気調和機は運転を停止する。これでポンプダウンは終了である。
【００７４】
つまり、本実施の形態の空気調和機は、作業指示ランプ９、作業完了ボタン１０により、１つ１つの工程を確実に遂行でき、作業ミスを減らすことができる。
【００７５】
なお、本実施の形態では、バイパス開閉弁１２の操作は、作業者が行い、それらの操作の完了は作業完了ボタン１０を押すことで入力するものとしたが、バイパス開閉弁１２の操作も制御装置が自動的に行うことで、作業完了ボタン１０を廃止することも可能である。この際には、さらに作業ミスを減らすことができることはいうまでもない。
【００７６】
なお、以上の実施の形態における空気調和機は暖房運転を行うことができない冷房専用機であるが、圧縮機１の出口に作動冷媒の流れ方向を切り換える四方弁を備え暖房運転を行うことができる冷暖機種でも同様の効果が得られる。
【００７７】
また、冷媒はＨＦＯ−１２３４ｙｆを使用したが、ＨＦＯ−１２３４ｚｅであっても、ＨＦＯ−１２３４ｙｆあるいはＨＦＯ−１２３４ｚｅを含む混合冷媒であっても同様の効果を奏するものである。このような、混合冷媒としては、例えば、ＨＦＯ−１２３４ｙｆとＨＦＣ−３２との混合冷媒などがある。
【産業上の利用可能性】
【００７８】
以上のように、本発明にかかる空気調和機は、ポンプダウン運転を行う際に、液側接続配管内に存在する作動冷媒のガス比率を上昇させた後、液側閉鎖弁を閉じ、ポンプダウン運転を行うものである。これにより、速やかにポンプダウンを終了し、圧縮機内部の温度上昇を抑制することができる。
【００７９】
その結果、炭素と炭素間に２重結合を有するハイドロフルオロオレフィンのような、分解しやすい冷媒も使用することができ、環境性に優れている。
【００８０】
そして、空気調和機だけに止まらず、セパレート型のショーケースや冷凍機、ヒートポンプ式の温水器などに広く適用することができ、効果をもたらすものである。
【符号の説明】
【００８１】
１      圧縮機
２      室外熱交換器
３      室外送風機
４      膨張弁
５      二方弁
６      室内熱交換器
７      室内送風機
８      三方弁
９      作業指示ランプ
１０    作業完了ボタン
１１    バイパス回路
１２    バイパス開閉弁
２１    液側接続配管
２２    ガス側接続配管
１００  室外機
１０１  室内機
【図１】
2012007774.tif 000003
【図２】
2012007774.tif 000004